(57)【要約】      （修正有）【課題】パラレルリンク式のロボットにおいて、ツール取付部に対して垂直軸回りの自由度を、小さな機械的作用で駆動可能とすること。【解決手段】ツール取付部１０を有するデルタ運動ロボットにおいて、前記ツール取付部１０は、制御アーム１２を介してロボット基部１４に接続されているジョイントプレートと、前記ツール取付部１０に取り付けられたツールを回転させる駆動部と、を有し、前記駆動部は前記ジョイントプレートに固定されていることを制御アーム１２を介してロボット基部に接続されているジョイントプレートと、前記ツール取付部１０によって取り付けられたツールを回転させる駆動部と、を有し、当該駆動部は当該ジョイントプレートに固定される構成とした。【選択図】図１
2010247324.tif 000002
【特許請求の範囲】
【請求項１】
ツール取付部（１０）を有するデルタ運動ロボットであって、前記ツール取付部（１０）は、制御アーム（１２）を介してロボット基部（１４）に接続されているジョイントプレート（６６）と、前記ツール取付部（１０）に取り付けられたツールを回転させる駆動部（７４）と、を有し、前記駆動部は前記ジョイントプレート（６６）に固定されていることを特徴とするロボット。
【請求項２】
請求項１に記載ロボットであって、前記駆動部はモータ、特にギア付きモータ（７４）を含むことを特徴とするロボット。
【請求項３】
請求項１または２に記載のロボットであって、前記駆動部（７４）がハウジング（７６）内に収容されていることを特徴とするロボット。
【請求項４】
先行する請求項のいずれか１に記載のロボットであって、前記駆動部（７４）が、前記ジョイントプレート（６６）の前記ツールから離れている方の側面（７２）に固定されていることを特徴とするロボット。
【請求項５】
先行する請求項のいずれか１に記載のロボットであって、孔（６８）特に中心孔が前記ジョイントプレート（６６）に設けられていることを特徴とするロボット。
【請求項６】
請求項５に記載のロボットであって、前記駆動部（７４）の出力シャフトが前記孔（６８）を通って伸長していることを特徴とするロボット。
【請求項７】
請求項５または６に記載のロボットであって、駆動部（７４）の部分（７８）が、孔（６８）に、特に形状適合態様で係合していることを特徴とするロボット。
【請求項８】
先行する請求項のいずれか１に記載のロボットであって、前記駆動部（７４）の出力シャフトの自由端部が、ジョイントプレート（６６）を越えて突出していることを特徴とするロボット。
【請求項９】
先行する請求項のいずれか１に記載のロボットであって、取り付けられるべきツールのためのアダプタ（８２）が駆動部（７４）の出力シャフトに取り付けられていることを特徴とするロボット。
【発明の詳細な説明】
【技術分野】
【０００１】
本発明は、デルタ運動ロボットに関する。
【背景技術】
【０００２】
デルタ原理で動作するデルタロボットまたはパラレルロボットとも称されるロボットは、一般的に知られており、食料品産業の分野等において真空吸引器または把持器で食製品のポーション等の軽い物体を迅速かつ正確に位置決めするために使用されている。デルタ運動特有の利点は高い運動性及び位置決めの格別な正確性にある。
【０００３】
デルタロボットは一般的に、通常は固定的に設けられるロボット基部と、ロボット基部に対して移動自在でありかつ利用分野の各々に適合したツール（把持器等）が取り付けられるツール取付部と、を有する。ツール取付部は、少なくとも３つのモータ駆動の移動自在制御アームによってロボット基部に接続される。制御アームの各々は、ロボット基部に固定されている上腕部、及び上腕部に枢動自在に接続されてツール取付部を案内する前腕部を含む。
【０００４】
移動自在ツール取付部に伝達されるべきトルクを有する回転駆動部は、通常はロボット基部の領域内に固定態様にて設けられ、ツール取付部に取り付けられたツールを第４の軸とも称されるツールの軸周りに回転させる。
【０００５】
このために、周知のデルタロボットは、伸縮自在の軸を有する。この場合、トルクの伝達はスプラインシャフトによってかまたは部分要素の横方向にオフセットした配置によってなされる。両方の解決法は、伸縮自在軸へのトルクの伝導が、ロボット基部に固定接続されかつ枢動可能にジャーナル支持されたスライディングシートの第１の部分の端部を介してなされ、トルクの外部への伝導は、スライディングシートの第２の部分を介してなされ、当該第２の部分は第１の部分に対して移動自在でありかつツール取付部に取り付けられていることが特徴である。
【０００６】
トルクを伝達するためのこれらのデバイスは、摩耗しがちでありかつ小さいトルクの伝達にしか適さない。トルク伝達デバイスにおいて必然的に存在する間隙の低減は、必然的に全体システムの剛性をもたらす。さらなる欠点はストローク制限である。
【発明の概要】
【発明が解決しようとする課題】
【０００７】
本発明の基本的な目的は、第４の軸が小さな機械的作用で駆動可能なデルタロボットを提供することである。
【課題を解決するための手段】
【０００８】
請求項１記載の特徴を有するロボットが提供されて、この目的が達成される。
【０００９】
本発明によるロボットはツール取付部を有し、当該ツール取付部は、制御アームを介してロボット基部に接続されたジョイントプレートと、当該ツール取付部に取り付けられているツールを回転する駆動部と、を有し、駆動部はジョイントプレートに固定されている。
【００１０】
本発明の基本の全体的発想は、ツールの回転のための駆動部、すなわち第４の軸の駆動部をロボット基部に取り付けずにジョイントプレートに取り付けるというものである。従って、換言すれば、ツールの回転のための駆動部はツール取付部内に一体化されている。
【００１１】
従って、本発明によれば、トルクはロボット基部からツール取付部に伝達される必要は無い。従って、本発明によるロボットは、ロボット基部とツール取付部との間のトルクの伝達のためのデバイスを持たないので単純な機械的構造を有する。特に、周知のトルク伝達デバイスの摩耗に起因する問題点または当該トルク伝達デバイス故の全体システムの剛性に起因する問題点が解決される。
【００１２】
本発明の有利な実施例は、従属請求項、明細書及び添付の図面から理解され得る。
【００１３】
１つの実施例において、駆動部はモータ、特に電気モータによって形成される。モータがさらにギア付きのモータである場合、駆動部の特にコンパクトなデザインが達成される。なぜならば、この場合、トランスミッションが既にモータ内に一体化されており、追加のトランスミッションをモータとツールとの間に設ける必要が無いからである。むしろ、ツールはモータの出力シャフトに直接結合され得る。
【００１４】
駆動部は、ハウジング内に有利に設けられる。これによって、ロボットは容易に清浄化されるので、食製品の取扱等の衛生状態に敏感な用途に特に好適である。
【００１５】
さらなる実施例によれば、駆動部はジョイントプレートのツールから離れた側面に固定される。換言すれば、駆動部はジョイントプレートの上側に設けられ、ツールはジョイントプレートの下側においてツール取付部に取り付けられる。
【００１６】
ジョイントプレートの上側に設けられている駆動部からジョイントプレートの下側に取り付けられたツールへのトルクの伝達を可能とするために、好ましくは、ジョイントプレート内に孔が設けられる。この孔は、中央に有利に配される、すなわち孔の中心がジョイントプレートの中心に一致する。
【００１７】
駆動部の出力シャフトは、この孔を通って伸長し得る。
【００１８】
駆動部の一部分が孔内に係合する、特に形状適合態様にて係合するのがさらに特に有利である。なぜならば、これによって、ジョイントプレートに対する駆動部の正確なアラインメントが特に単純な態様にて保証されるからである。
【００１９】
駆動部の出力シャフトがジョイントプレートを越えて突出して、ツールが駆動部と直接結合され得るのが好ましい。
【００２０】
取り付けられるべきツールと駆動部との結合は、取り付けられるべきツールのためのアダプタが駆動部の出力シャフトに取り付けられている場合にさらに単純になされる。この場合、アダプタは、適切なラッチ装置によってツールがこのアダプタに配されるだけで固定されるようにデザインされ得る。このようなラッチ装置は、ラッチ機構及び／または固定ねじもしくは固定ピンであり得る。アダプタが駆動部からツールへのトルクの伝達においてツールに対して回転しないように、アダプタは、真円ではない部分、例えば、ツールの断面であってアダプタへ取り付ける取付部の断面に有利に適合する多面部を有し得る本発明は、有利な実施例及び添付の図を参照して、単に例示の目的で以下に説明される。
【図面の簡単な説明】
【００２１】
【図１】本発明によるロボットの斜視図である。
【図２】図１のロボットのロボット基部の斜視図である。
【図３】ロボット基部への図１のロボットの制御アームの駆動部の固定を示した部分斜視図である。
【図４】図１のロボットの制御アームの上腕部における前腕部のベアリングを示した部分斜視図である。
【図５】ソケット部材の部分斜視図である。
【図６】ベアリングスリーブ及び取付ねじを有するソケット部材の断面図である。
【図７】図１のロボットのツール取付部の上方から見た斜視図である。
【図８】図７のツール取付部の下方から見た斜視図である。
【図９】球状結合ヘッドを有するジョイントプレートの平面図である。
【図１０Ａ】切断されたジョイントプレート及び収容されていないモータによって示されたツール取付部の斜視図である。
【図１０Ｂ】切断されたジョイントプレート及び収容されていないモータによって示されたツール取付部の斜視図である。
【発明を実施するための形態】
【００２２】
本発明によるデルタロボットは、図１に示されている。当該ロボットは、３つの制御アーム１２を介してロボット基部に接続されているツール取付部１０を含んでいる。
【００２３】
制御アーム１２の各々は、上腕部１６及び前腕部１８を含み、前腕部１８は一組の薄肉チューブ２０を含む。チューブ２０は、ステンレス鋼または炭素繊維で形成され得、関連する上腕部１６及びツール取付部１０に枢動自在に各々接続されている。
【００２４】
上腕部１６は、互いに１２０度オフセットしてロボット基部１４に枢動自在に支持されている。電気モータを含みかつトランスミッション及びベアリングを含む主駆動部２２が上腕部１６の各々と関連付けられ、上腕部１６が枢動させられる。この場合、主駆動部２２は、追加のハウジング無しに設けられ得るようにデザインされる。３つの主駆動部２２は円に沿って配され、互いに１２０°離れている。この場合、主駆動部２２の回転軸は、１２０°オフセットしており、円の各々の接線に平行である。
【００２５】
ロボット基部１４は基部プレート２４を有し、主駆動部２２のための３つのプレート状ベアリングシート２６が、基部プレート２４の下側に、例えば溶接で取り付けられている（図１及び図２）。主駆動部２２は、ベアリングシート２６にねじ固定されていても良い。
【００２６】
ロボットは、ロボット基部を用いて特に基板プレート２４によってセル構造とも称される適切な担持構造に設けられ（ねじ固定等）得る。
【００２７】
上腕部１６の各々は、関連する主駆動部２２に直接接続（ねじ固定等）されている。対応するねじは、カバー３０（図３）によって覆われている。カバープレート３２に設けられているシール（図示せず）は、上腕部１６の各々とそれに関連するベアリングシート２６との間に設けられる。
【００２８】
上腕部１６と前腕部１８のチューブ２０との枢動接続は、上腕部１６の互いに反対の位置にある側面に配されている２つのボールジョイント（図４）によってなされる。
【００２９】
ボールジョイントまたは球状ベアリングの各々は、上腕部１６の担持部３３内にねじ固定されているジョイントヘッドまたはボール部材３４とソケット部材３６とを含み、ソケット部材３６はジョイントヘッド３４に関連付けられ、前腕部１６のチューブ２０に取り付けられている。ソケット部材３６は、例えば、チューブ２０に接着固定され得かつ／または形状適合態様にてチューブ２０に挿入され得る。
【００３０】
ソケット部材３６の各々は、チューブ２０から離れた前部３８内に、実質的に半球状に形成されたベアリングソケット４０を有し、ベアリングソケット４０内にベアリングシェル４２が挿入されている。ベアリングシェル４２は、ベアリングソケット４０内に締まりばめによる摩擦固定で固定されておりかつ／またはベアリングソケット４０に取り外し可能に接着固定されている。孔４４が、ソケット部材３６の前部３８内にさらに設けられ、孔４４は、ベアリングシェル４２をベアリングソケット４０の外に押し出すことを可能とする。ベアリングソケット４０内のベアリングシェル４２の正確な位置決めを保証するため、ベアリングシェル４２は基部４６を有し、基部４６が孔４４に形状適合態様で係合している。
【００３１】
ベアリングシェル４２は、ジョイントヘッド３４を受けるために設けられるので、ジョイントヘッド３４の形状に適合させられる。ソケット部材３６がそれらの各々のジョイントヘッド３４から跳ねることを防止するために、制御アーム１２のチューブ２０が引張ばね４８によって互いに拘束される。引張ばね４８は、その両端において、実質的にＵ字フープの形状のホルダ５０に接続されており、ホルダ５０は固定ねじ６０によってソケット部材３６の１つに枢動自在に支持されている。固定ねじ６０は、ベアリングスリーブ６２を通って伸長しており、ベアリングスリーブ６２は、ソケット部材３６を横切って伸長している孔６４内に挿入されている（図５及び図６）。
【００３２】
引張ばね４８は、チューブ２０同士を結び付けるのに特に良好に適しているが、引張ばね４８の代わりに、通常は、エラストマ等の弾性特性を有する他のコンポーネントまたは非弾性接続要素も、チューブ２０同士を拘束するために使用可能である。
【００３３】
図１並びに、特に図７及び図８からわかるように、前腕部１８を形成する一組のチューブ２０は、それらの各々の上腕部１６に枢動自在に接続されているだけではなく、ツール取付部１０にも枢動可能に接続されており、当該接続は、実際は、図４から図６に関連して上述された様なボールジョイントを用いてなされている。
【００３４】
ツール取付部１０は、ジョイントプレート６６を有する。ジョイントプレート６６は、３つのプレート部７０含む。３つのプレート部７０は、中心孔６８の周りに配され、互い１２０°離間して設けられている。プレート部７０の各々は、制御アーム１２に関連付けられている。ジョイントヘッド３４は、プレート部７０の各々の互いに反対に配された側部に取り付けられ、対応する制御アーム１２のチューブ２０に接続されているソケット部材３６を受けるために設けられている。図４から図６について説明しかつそれに関連してこれらのソケット部材３６の構造に関して説明する。制御アーム１２のチューブ２０同士は、引張ばね（図示せず）によってジョイントプレート６６の領域内で拘束される。当該引張ばねは、上述の様なホルダ５０によってソケット部材３６に接続される。上述の実施例に従って、引張ばねの代わりに非弾性接続要素も使用され得る。
【００３５】
ギア付き電気モータ７４は、ロボット基部１４に面しているジョイントプレート６６の上面７２に設けられて、ツール取付部１０に取り付けられた把持器等のツールを、ジョイントプレート６６に垂直な軸周りに回転させる。換言すれば、ギア付きモータ７４は、第４の軸と称される駆動部を形成する。ギア付きモータ７４は、ジョイントプレート６６に設けられたハウジング７６内に収容される（図７及び図８）。ギア付きモータ７４及びハウジング７６は、ジョイントプレート６６にねじ固定され得る。
【００３６】
その下面において、ギア付きモータ７４は基部７８を有し、基部７８は、ジョイントプレート６６の孔６８内に少なくともほぼ形状適合態様で係合し、ジョイントプレート６６におけるギア付きモータ７４の正確な位置決めを保証する（図１０Ａ及び１０Ｂ）。
【００３７】
取り付けられるツールのためのアダプタは、ギア付きモータ７４の出力シャフトの一部であってジョイントプレート６６の下面から突出している部分に取り付けられている。アダプタ８２は、ギア付きモータ７４の出力シャフトに垂直な平面において真円ではない部分、特に多面部分を有し、当該部分はアダプタ８２に取り付けられるべきツールの取付部分の断面に適合して、取り付けられたツールに対するアダプタ８２の回転を防止する。取り付けられるべきツールは、アダプタ８２を介してギア付きモータ７４に直接的にフランジ付けされ、特に、追加のトランスミッションの介在無しにギア付きモータ７４にフランジ付けされる。ジョイントプレート６６内の第４の軸の支持は、ツールとギア付きモータ７４との直接的なフランジ付けによって省略され得る。
【符号の説明】
【００３８】
１０        ツール取付部
１２        制御アーム
１４        ロボット基部
１６        上腕部
１８        前腕部
２０        チューブ
２２        主駆動部
２４        基部プレート
２６        ベアリングシート
２８        主駆動出力
３０        カバー
３２        カバープレート
３３        担持部
３４        ジョイントヘッド
３６        ソケット部材
３８        前部
４０        ベアリングソケット
４２        ベアリングシェル
４４        孔
４６        基部
４８        引張ばね
５０        ホルダ
６０        固定ねじ
６２        ベアリングスリーブ
６４        孔
６６        ジョイントプレート
６８        孔
７０        プレート部
７２        上面
７４        ギア付きモータ
７６        ハウジング
７８        基部
８０        下面
８２        アダプタ
【図１】
2010247324.tif 000003
【図２】
2010247324.tif 000004
【図３】
2010247324.tif 000005
【図４】
2010247324.tif 000006
【図５】
2010247324.tif 000007
【図６】
2010247324.tif 000008
【図７】
2010247324.tif 000009
【図８】
2010247324.tif 000010
【図９】
2010247324.tif 000011
【図１０Ａ】
2010247324.tif 000012
【図１０Ｂ】
2010247324.tif 000013
【外国語明細書】
2010247324000001.pdf
2010247324000002.pdf
2010247324000003.pdf
2010247324000004.pdf